(57)【要約】      （修正有）【課題】異形ディスプレイパネルに対するタッチセンサとタッチ配線の配置構造を提供する。【解決手段】タッチ認識可能なディスプレイパネル１１０及びディスプレイ装置１００の構造であって、外郭の一部が曲線であるアクティブ領域Ａ／Ａとディスプレイパネルで、アクティブ領域の形態によってタッチセンサーＴＳとタッチ配線ＴＬ（Ｔｘ）、ＴＬ（Ｒｘ）を配置することによって、異形のディスプレイパネルでタッチセンシングを可能にする。また、ディスプレイパネルに配置される隣接した２つのタッチ配線の間に開口された領域を位置させることによって、ホールやノッチのように開口された領域を含むディスプレイパネルでもタッチセンシングを可能にする。【選択図】図１
2018206347.tif 000002
【特許請求の範囲】
【請求項１】
多数のピクセルが配置されたアクティブ領域と、前記アクティブ領域の外部にノンアクティブ領域を有し、前記アクティブ領域は、曲線部分を含む外郭を有するディスプレイパネルと、
前記アクティブ領域上に配置される多数のタッチセンサーと、
前記ノンアクティブ領域に配置され、前記多数のタッチセンサーと連結され、前記アクティブ領域の外郭の曲線部分に対応する曲線部分を有する多数のタッチ配線と、
を含む、タッチディスプレイ装置。
【請求項２】
前記多数のタッチ配線は、前記アクティブ領域の外郭と前記ノンアクティブ領域の外郭との間に位置し、前記ノンアクティブ領域の外郭は、前記アクティブ領域と前記多数のタッチラインの曲線部分と対応する曲線部分を含む、
請求項１に記載のタッチディスプレイ装置。
【請求項３】
前記多数のタッチセンサーは、前記アクティブ領域上に前記アクティブ領域の形状に沿って配置される、
請求項１に記載のタッチディスプレイ装置。
【請求項４】
前記多数のタッチセンサーは、前記アクティブ領域の外郭の曲線部分に隣接するように位置する第１部分と前記アクティブ領域の外郭の直線部分と隣接するように位置する第２部分を含み、前記第１部分は前記第２部分より前記アクティブ領域の外方に突出した、
請求項１に記載のタッチディスプレイ装置。
【請求項５】
前記アクティブ領域の外郭と接する前記タッチセンサーと前記タッチ配線との間に配置される多数のコンタクトパッドをさらに含み、
前記多数のコンタクトパッドは、前記アクティブ領域の外郭が曲線である部分に配置される前記タッチセンサーと前記タッチ配線との間で前記タッチセンサーの外郭と同一な形状に配置される、
請求項１に記載のタッチディスプレイ装置。
【請求項６】
前記多数のタッチ配線は、少なくとも一部が鋭角に折れた構造を含み、少なくとも他の一部が鈍角に折れた構造を含む、
請求項１に記載のタッチディスプレイ装置。
【請求項７】
前記アクティブ領域の外郭が曲線である部分は、前記アクティブ領域の外郭が縦方向に直線である部分と横方向に直線である部分とが交差する部分である、
請求項１に記載のタッチディスプレイ装置。
【請求項８】
前記アクティブ領域の外郭は、
第１方向に延長され、対向する第１側及び第２側と、
前記第１方向と交差する第２方向に延長され、対向する第３側及び第４側と、
多数の曲線部分と
を含み、
前記多数の曲線部分の各々は、前記アクティブ領域の外郭と隣接した側面の間で延長された、
請求項１に記載のタッチディスプレイ装置。
【請求項９】
前記多数のタッチセンサーは、前記アクティブ領域で少なくとも１つの軸に対して対称的な形態に配置される、
請求項１に記載のタッチディスプレイ装置。
【請求項１０】
外郭の一部が曲線であるアクティブ領域と、
前記アクティブ領域の外側に配置され、外郭の一部が曲線であるノンアクティブ領域と、
前記アクティブ領域上に配置された多数のタッチセンサーと、
前記ノンアクティブ領域に配置され、前記多数のタッチセンサーと連結され、前記アクティブ領域の外郭のうちの曲線である外郭と、前記ノンアクティブ領域の外郭のうちの曲線である外郭との間で曲線に配置される多数のタッチ配線と、
を含む、タッチディスプレイパネル。
【請求項１１】
前記アクティブ領域の外郭の曲線は、前記多数のタッチラインの曲線部分と対応する前記ノンアクティブ領域の外郭の曲線と対応する、
請求項１０に記載のタッチディスプレイパネル。
【請求項１２】
前記多数のタッチセンサーは、前記アクティブ領域上に前記アクティブ領域と同一な形状に配置される、
請求項１０に記載のタッチディスプレイパネル。
【請求項１３】
前記多数のタッチセンサーは、前記アクティブ領域の外郭が曲線である部分に隣接するように位置する第１部分及び前記アクティブ領域の外郭が直線である部分に隣接するように位置する第２部分を含み、前記第１部分は、前記第２部分より前記アクティブ領域の外方に突出した、
請求項１０に記載のタッチディスプレイパネル。
【請求項１４】
前記アクティブ領域の外郭に配置される前記タッチセンサーと前記タッチ配線との間に配置される多数のコンタクトパッドをさらに含み、
前記多数のコンタクトパッドは、前記アクティブ領域の外郭が曲線である部分に配置される前記タッチセンサーと前記タッチ配線との間で前記タッチセンサーの外郭と同一な形状に配置される、
請求項１０に記載のタッチディスプレイパネル。
【請求項１５】
前記多数のタッチ配線は、少なくとも一部が鋭角に折れた構造を含み、少なくとも他の一部が鈍角に折れた構造を含む、
請求項１０に記載のタッチディスプレイパネル。
【請求項１６】
アクティブ領域と前記アクティブ領域の少なくとも一部に形成された開口された領域を含むディスプレイパネルと、
前記ディスプレイパネルに配置された多数のタッチセンサーと、
前記ディスプレイパネルに配置され、前記多数のタッチセンサーと連結された多数のタッチ配線と
を含み、
前記開口された領域は前記多数のタッチ配線のうち、隣接した２つのタッチ配線の間に位置する、
タッチディスプレイ装置。
【請求項１７】
前記多数のタッチセンサーは、少なくとも２つ以上のタッチセンサーが前記ディスプレイパネルの前記開口された領域と接して配置される、
請求項１６に記載のタッチディスプレイ装置。
【請求項１８】
多数のタッチセンサーのうち、４個のタッチセンサーが前記ディスプレイパネルの前記開口された領域と接触する、
請求項１７に記載のタッチディスプレイ装置。
【請求項１９】
前記多数のタッチ配線は、第１方向に配置された多数の第１タッチ配線と、前記第１方向と交差する第２方向に配置される多数の第２タッチ配線を含み、
前記開口された領域は、前記多数の第１タッチ配線のうちの隣接した２つの第１タッチ配線と前記多数の第２タッチ配線のうちの隣接した２つの第２タッチ配線との交差により定義される領域に位置する、
請求項１６に記載のタッチディスプレイ装置。
【請求項２０】
前記開口された領域の境界は、前記ディスプレイパネルの外郭の一部である、
請求項１６に記載のタッチディスプレイ装置。
【請求項２１】
曲線部分を含む外郭を有するアクティブ領域と、
前記アクティブ領域の外部であるノンアクティブ領域と、
記アクティブ領域に配置された多数のピクセルと、
記アクティブ領域に配置された多数のタッチセンサーと、
記ノンアクティブ領域に配置され、前記多数のタッチセンサーと連結され、前記アクティブ領域の曲線部分に対応する曲線部分を有する多数のタッチ配線を含み、前記多数のタッチ配線のうちの少なくとも１つは、前記曲線部分と各々のタッチセンサーとの間で鋭角及び鈍角のうちの少なくとも１つを形成して曲げられる、
ディスプレイパネル。
【請求項２２】
記アクティブ領域と前記ノンアクティブ領域に配置された封止層をさらに含み、
記多数のタッチセンサーは、前記封止層上に配置された、
請求項２１に記載のディスプレイパネル。
【請求項２３】
前記アクティブ領域と前記ノンアクティブ領域に配置されたカソード電極をさらに含み、
前記封止層は、前記カソード電極上に配置された、
請求項２２に記載のディスプレイパネル。
【発明の詳細な説明】
【技術分野】
【０００１】
実施形態は、ディスプレイパネルに対するユーザのタッチをセンシングすることができるタッチディスプレイパネルとタッチディスプレイ装置に関するものである。
【背景技術】
【０００２】
情報社会が発展するにつれて、画像を表示するディスプレイ装置に対する多様な要求が増加しており、液晶ディスプレイ装置、プラズマディスプレイ装置、有機発光ディスプレイ装置などの多様な類型のディスプレイ装置が活用されている。
【０００３】
このようなディスプレイ装置は、ユーザにさらに多様な機能を提供するために、ディスプレイパネルに対するユーザのタッチを認識し、認識されたタッチを基盤に入力処理を遂行する機能を提供している。
【０００４】
例えば、ディスプレイパネルに対するユーザのタッチをセンシングするために、 ディスプレイパネルに多数のタッチセンサーを配置し、タッチセンサーと駆動回路を連結するタッチ配線を配置する。そして、ディスプレイパネルに対するユーザのタッチ時に発生する静電容量の変化をセンシングしてディスプレイパネルに対するユーザのタッチ有無とタッチ位置などを感知することができる。
【０００５】
したがって、このようなタッチディスプレイ装置は、ディスプレイパネルにタッチセンサーとタッチ配線などが配置されなければならないが、最近、ユーザの多様な要求によって登場する異形ディスプレイ装置の場合、従来のタッチセンサーとタッチ配線の配置構造を適用し難いという問題点がある。
【発明の概要】
【発明が解決しようとする課題】
【０００６】
本実施形態の目的は、多様な形状を有する異形ディスプレイ装置におけるディスプレイパネルに対するユーザのタッチが認識できるようにするタッチセンサーとタッチ配線の配置構造を提供することにある。
【０００７】
本実施形態の目的は、異形ディスプレイ装置におけるディスプレイパネルの位置に従うタッチセンシングの感度を一定に維持し、ディスプレイパネルに対するタッチセンシング可能にするタッチディスプレイ装置とタッチディスプレイパネルを提供することにある。
【課題を解決するための手段】
【０００８】
一態様において、本実施形態は、外郭の一部が曲線であるディスプレイパネルと、ディスプレイパネルの内側に配置され、外郭の一部が曲線であるアクティブ領域と、アクティブ領域上に配置される多数のタッチセンサーと、アクティブ領域の外側に配置され、多数のタッチセンサーと連結され、アクティブ領域の外郭のうちの曲線である外郭とディスプレイパネルの外郭のうちの曲線である外郭との間で曲線に配置される多数のタッチ配線を含むタッチディスプレイ装置を提供する。
【０００９】
他の態様において、本実施形態は、外郭の一部が曲線であるアクティブ領域と、アクティブ領域の外側に配置され、外郭の一部が曲線であるノンアクティブ領域と、アクティブ領域上に配置された多数のタッチセンサーと、ノンアクティブ領域に配置され、多数のタッチセンサーと連結され、アクティブ領域の外郭のうちの曲線である外郭とノンアクティブ領域の外郭のうちの曲線である外郭との間で曲線に配置される多数のタッチ配線を含むタッチディスプレイパネルを提供する。
【００１０】
他の態様において、本実施形態は、ディスプレイパネルと、ディスプレイパネルに配置された多数のタッチセンサーと、ディスプレイパネルに配置され、多数のタッチセンサーと連結された多数のタッチ配線を含み、ディスプレイパネルは、内側または外郭部に開口された領域を含み、開口された領域は、多数のタッチ配線のうち、隣接した２つのタッチ配線の間に位置するタッチディスプレイ装置を提供する。
【発明の効果】
【００１１】
本実施形態によれば、異形ディスプレイ装置におけるディスプレイパネルとアクティブ領域の形状によってタッチセンサーとタッチ配線を配置することによって、多様な形状を有する異形ディスプレイ装置におけるディスプレイパネルに対するユーザのタッチがセンシングできるようにする。
【００１２】
また、ディスプレイパネルの位置によってタッチセンサーのサイズを調整することによって、異形ディスプレイ装置におけるディスプレイパネルの位置に従うタッチセンシングの感度を均一に維持できるようにする。
【００１３】
また、タッチセンサーとタッチ配線の配置構造を維持しながら異形ディスプレイ装置を具現することができる方案も提供する。
【図面の簡単な説明】
【００１４】
【図１】本実施形態に従うタッチディスプレイ装置の概略的な構成を示す図である。
【図２】本実施形態に従うタッチディスプレイ装置が有機発光ディスプレイ装置である場合、タッチセンサーが配置される断面の例示を示す図である。
【図３】本実施形態に従うタッチディスプレイ装置が有機発光ディスプレイ装置である場合、タッチセンサーが配置される断面の例示を示す図である。
【図４】本実施形態に従うタッチディスプレイ装置が異形ディスプレイ装置である場合、配置されるタッチセンサーとタッチ配線の構造の第１実施形態を示す図である。
【図５】第１実施形態に従うタッチディスプレイ装置の構造の他の例示を示す図である。
【図６】第１実施形態に従うタッチディスプレイ装置の構造の更に他の例示を示す図である。
【図７】本実施形態に従うタッチディスプレイ装置が異形ディスプレイ装置である場合、配置されるタッチセンサーとタッチ配線の構造の第２実施形態を示す図である。
【図８】本実施形態に従うタッチディスプレイ装置が異形ディスプレイ装置である場合、配置されるタッチセンサーとタッチ配線の構造の第２実施形態を示す図である。
【発明を実施するための形態】
【００１５】
以下、本発明の一部の実施形態を例示的な図面を通じて詳細に説明する。各図面の構成要素に参照符号を付加するに当たって、同一な構成要素に対しては、たとえ他の図面上に表示されてもできる限り同一な符号を有することができる。また、本発明を説明するに当たって、関連した公知構成または機能に対する具体的な説明が本発明の要旨を曖昧にすることがあると判断される場合には、その詳細な説明は、省略する。
【００１６】
また、本発明の構成要素を説明するに当たって、第１、第２、Ａ、Ｂ、（ａ）、（ｂ）などの用語を使用することができる。このような用語は、その構成要素を他の構成要素と区別するためのものであり、その用語により当該構成要素の本質や回順序または順序などが限定されない。ある構成要素が他の構成要素に“連結”、“結合”、または“接続”されると記載された場合、その構成要素は、その他の構成要素に直接的に連結、または接続できるが、各構成要素の間に更に他の構成要素が“連結”、“結合”、または“接続”されることもできると理解されるべきである。同じ脈絡で、ある構成要素が他の構成要素の“上”にまたは“下”に形成されると記載された場合、その構成要素は、該他の構成要素に直接または更に他の構成要素を介して間接的に形成されることを全て含むことと理解されるべきである。
【００１７】
図１は、本実施形態に従うタッチディスプレイ装置１００の概略的な構成を示すものである。
【００１８】
図１を参照すると、本実施形態に従うタッチディスプレイ装置１００は、多数のタッチセンサーＴＳと多数のタッチ配線ＴＬが配置されるタッチディスプレイパネル１１０と、タッチセンサーＴＳにタッチ駆動信号を出力し、タッチセンサーＴＳから受信されるタッチセンシング信号に基づいてタッチをセンシングする駆動回路（図示せず）を含む。
【００１９】
タッチディスプレイパネル１１０は、多数のサブピクセルが配置され、映像を表示するアクティブ領域（Active Area、Ａ／Ａ）と、アクティブ領域（Ａ／Ａ）の外側に位置し、サブピクセルに印加される信号を伝達するための配線などが配置されるノンアクティブ領域（Non-active Area、Ｎ／Ａ）とに区分できる。
【００２０】
タッチディスプレイパネル１１０のアクティブ領域（Ａ／Ａ）には、ゲートラインとデータラインとが交差して配置され、ゲートラインとデータラインとが交差する領域にサブピクセルが配置される。
【００２１】
アクティブ領域（Ａ／Ａ）に配置されたサブピクセルは、ゲートラインに印加されるスキャン信号のタイミングに合せてデータラインを通じて供給されるデータ電圧によって階調を表現してアクティブ領域（Ａ／Ａ）を通じて映像が表示できるようにする。
【００２２】
このようなアクティブ領域（Ａ／Ａ）には、ディスプレイ駆動のための構成の以外にユーザのタッチをセンシングするための多数のタッチセンサーＴＳが配置できる。
【００２３】
多数のタッチセンサーＴＳは、タッチディスプレイ装置１００が液晶ディスプレイ装置である場合、アクティブ領域（Ａ／Ａ）に配置される共通電極がタッチセンサーＴＳに活用できる。タッチディスプレイ装置１００が有機発光ディスプレイ装置である場合、タッチセンサーＴＳは、封止層上に配置できるが、これに限定されるものではない。
【００２４】
ここで、タッチディスプレイ装置１００が有機発光ディスプレイ装置である場合、タッチセンサーＴＳが配置される構造を図２及び図３を参照して簡略に説明すると、タッチセンサーＴＳは、封止層Ｅｎｃａｐとタッチディスプレイパネル１１０のカバーとの間に配置できる。
【００２５】
即ち、タッチセンサーＴＳとタッチ配線ＴＬなどのようにタッチセンシングのための構成は、封止層Ｅｎｃａｐ上に配置できる。
【００２６】
具体的に、封止層Ｅｎｃａｐの下に有機発光ダイオードＯＬＥＤのカソードＣａｔｈｏｄｅが配置され、カソードＣａｔｈｏｄｅと離隔して封止層Ｅｎｃａｐ上にタッチセンサーＴＳが配置される。
【００２７】
一例に、封止層Ｅｎｃａｐの厚さ（Ｔ）は、５μｍ以上でありうる。
【００２８】
このように、封止層Ｅｎｃａｐの厚さ（Ｔ）を一定の厚さ以上に設計することによって、有機発光ダイオードＯＬＥＤのカソードＣａｔｈｏｄｅとタッチセンサーＴＳとの間に形成される寄生静電容量を減少させることができる。これによって、寄生静電容量によるタッチセンシング感度の低下が防止できるようにする。
【００２９】
一方、タッチセンサーＴＳが孔Ｈを含むメッシュタイプである場合、タッチセンサーＴＳに含まれた孔Ｈは、サブピクセルの発光部と対応して位置することができる。
【００３０】
したがって、タッチセンサーＴＳの孔Ｈは、カラーフィルタＣＦと対応することができ、ホワイト有機発光ダイオードＯＬＥＤを用いる場合などのようにカラーフィルタＣＦが必要な場合、カラーフィルタＣＦの位置をタッチセンサーＴＳの孔Ｈの位置と対応させて優れる発光性能を有するタッチディスプレイ装置１００を提供することができる。
【００３１】
このようなタッチセンサーＴＳとカラーフィルタＣＦの垂直的な位置は、多様に設計できる。
【００３２】
一例に、図２に図示したように、カラーフィルタＣＦとブラックマトリックスＢＭは、タッチセンサーＴＳ上に配置できる。また、カラーフィルタＣＦとブラックマトリックスＢＭは、タッチセンサーＴＳ上に配置されるオーバーコート層ＯＣ上に配置できる。
【００３３】
他の例に、図３に図示したように、カラーフィルタＣＦとブラックマトリックスＢＭは、タッチセンサーＴＳの下部に位置することができる。この際、タッチセンサーＴＳは、カラーフィルタＣＦとブラックマトリックスＢＭ上に配置されるオーバーコート層ＯＣ上に配置できる。
【００３４】
即ち、タッチセンサーＴＳとカラーフィルタＣＦは、タッチ性能とディスプレイ性能を考慮して、最適の位置関係を有するように設計できる。
【００３５】
また、封止層Ｅｎｃａｐ上にタッチセンサーＴＳを配置する構造を提供することによって、有機物によって一般的に金属物質であるタッチセンサーＴＳをパネル内部に形成し難いという問題点を克服し、優れるディスプレイ性能とタッチ性能を有する有機発光ディスプレイ装置を提供することができるようにする。
【００３６】
このように、タッチディスプレイパネル１１０の内部に配置された多数のタッチセンサーＴＳは、アクティブ領域（Ａ／Ａ）に一定に分離された構造で配置され、タッチ配線ＴＬを通じて駆動回路と連結される。
【００３７】
このようなタッチセンサーＴＳとタッチ配線ＴＬは、タッチをセンシングする方式によって多様な構造で配置されることができ、本明細書では相互静電容量センシング方式によりタッチをセンシングする場合を例示として説明するが、本実施形態は、これに限定されるものではない。
【００３８】
多数のタッチセンサーＴＳは、駆動回路から出力されるタッチ駆動信号の印加を受けるＴｘ電極と、駆動回路にタッチセンシング信号を伝達するＲｘ電極で構成できる。
【００３９】
そして、多数のタッチ配線ＴＬは、タッチセンサーＴＳのうち、Ｔｘ電極と連結される第１タッチ配線ＴＬ（Ｔｘ）と、Ｒｘ電極と連結される第２タッチ配線ＴＬ（Ｒｘ）で構成できる。
【００４０】
一例に、図１に図示したように、第１タッチ配線ＴＬ（Ｔｘ）は、タッチセンサーＴＳのＴｘ電極と横方向に連結され、第２タッチ配線ＴＬ（Ｒｘ）は、タッチセンサーＴＳのＲｘ電極と縦方向に連結できる。
【００４１】
駆動回路は、タッチをセンシングする時間区間で第１タッチ配線ＴＬ（Ｔｘ）を通じてＴｘ電極にタッチ駆動信号を印加し、第２タッチ配線ＴＬ（Ｒｘ）を通じてＲｘ電極からタッチセンシング信号を受信してタッチディスプレイパネル１１０に対するユーザのタッチ有無とタッチ位置を決定する。
【００４２】
ここで、タッチディスプレイパネル１１０が四角形の形態である場合、タッチディスプレイパネル１１０が直角である部分のノンアクティブ領域（Ｎ／Ａ）に配置されるタッチ配線ＴＬは、直角に折れた構造で配置できる。
【００４３】
ところで、最近に登場する異形ディスプレイ装置の場合には、アクティブ領域（Ａ／Ａ）に配置されるタッチセンサーＴＳやノンアクティブ領域（Ｎ／Ａ）に配置されるタッチ配線ＴＬを従来のような構造で配置できないという問題点がある。
【００４４】
また、タッチディスプレイ装置１００が異形である場合、タッチディスプレイパネル１１０の位置に従うタッチセンシングの感度が均一でないことがあり、タッチディスプレイパネル１１０に開口された領域を含む場合、タッチセンサーＴＳとタッチ配線ＴＬを設計し難いという問題点がある。
【００４５】
本実施形態に従うタッチディスプレイ装置１００は、多様な形態のタッチディスプレイ装置１００でタッチセンサーＴＳとタッチ配線ＴＬを具現することができる方案を提供し、タッチディスプレイ装置１００が多様な形態を有する場合にもタッチセンシングの感度を一定に維持することができる方案を提供する。
【００４６】
図４は、本実施形態に従うタッチディスプレイ装置１００におけるタッチセンサーＴＳとタッチ配線ＴＬが配置される構造の第１実施形態を示すものであって、タッチディスプレイパネル１１０の外郭が曲線を含む場合を示すものである。
【００４７】
図４を参照すると、第１実施形態に従うタッチディスプレイ装置１００は、多数のタッチセンサーＴＳと多数のタッチ配線ＴＬが配置されたタッチディスプレイパネル１１０と、タッチセンサーＴＳを駆動する駆動回路（図示せず）を含む。
【００４８】
タッチディスプレイパネル１１０は、映像を表示するためのサブピクセルとタッチセンシングのための多数のタッチセンサーＴＳが配置されるアクティブ領域（Ａ／Ａ）と、アクティブ領域（Ａ／Ａ）の外側に位置するノンアクティブ領域（Ｎ／Ａ）とに区分できる。
【００４９】
タッチディスプレイパネル１１０は、外郭が直線である部分と曲線である部分を含み、一例に、タッチディスプレイパネル１１０で横方向に直線である外郭と縦方向に直線である外郭とが交差する部分に曲線である外郭を含むことができる。
【００５０】
タッチディスプレイパネル１１０のアクティブ領域（Ａ／Ａ）は、タッチディスプレイパネル１１０の内側に配置され、アクティブ領域（Ａ／Ａ）の外郭の一部は、曲線を含むことができる。
【００５１】
即ち、タッチディスプレイパネル１１０の外郭の形態によってアクティブ領域（Ａ／Ａ）の外郭も直線である部分と曲線である部分を含むことができ、アクティブ領域（Ａ／Ａ）の外郭が曲線である部分は、タッチディスプレイパネル１１０の外郭が曲線である部分と対応する部分に位置することができる。
【００５２】
アクティブ領域（Ａ／Ａ）には、多数のタッチセンサーＴＳが配置され、アクティブ領域（Ａ／Ａ）に配置される多数のタッチセンサーＴＳは、アクティブ領域（Ａ／Ａ）の形態によって配置できる。
【００５３】
一例に、アクティブ領域（Ａ／Ａ）の内側に配置されるタッチセンサーＴＳは、従来のように一定の形態に配置され、アクティブ領域（Ａ／Ａ）の境界に配置されるタッチセンサーＴＳは、アクティブ領域（Ａ／Ａ）の外郭の形態によって相異する形態に配置できる。
【００５４】
したがって、アクティブ領域（Ａ／Ａ）の外郭が曲線である部分と接しながら配置されるタッチセンサーＴＳは、外郭の一部が曲線であって、タッチセンサーＴＳが配置される位置によって相異するサイズを有することができる。
【００５５】
タッチセンサーＴＳがアクティブ領域（Ａ／Ａ）の形態によって配置されることによって、異形で具現されたタッチディスプレイ装置１００におけるタッチディスプレイパネル１１０に対するユーザのタッチがセンシングできるようにする。
【００５６】
このようなタッチセンサーＴＳは、多数のタッチ配線ＴＬを通じて駆動回路と連結される。
【００５７】
タッチディスプレイパネル１１０に配置されるタッチ配線ＴＬは、ノンアクティブ領域（Ｎ／Ａ）に配置されてアクティブ領域（Ａ／Ａ）に配置されるタッチセンサーＴＳと連結できる。
【００５８】
タッチディスプレイパネル１１０が相互静電容量センシング方式によりタッチをセンシングする場合、多数のタッチ配線ＴＬは、タッチセンサーＴＳのＴｘ電極と連結される第１タッチ配線ＴＬ（Ｔｘ）とタッチセンサーＴＳのＲｘ電極と連結される第２タッチ配線ＴＬ（Ｒｘ）で構成できる。
【００５９】
一例に、タッチ配線ＴＬのうち、第１タッチ配線ＴＬ（Ｔｘ）は、タッチディスプレイパネル１１０の左側ノンアクティブ領域（Ｎ／Ａ）に沿って配置され、アクティブ領域（Ａ／Ａ）に配置されたタッチセンサーＴＳと横方向に連結できる。
【００６０】
第２タッチ配線ＴＬ（Ｒｘ）は、タッチディスプレイパネル１１０の上側または下側ノンアクティブ領域（Ｎ／Ａ）でアクティブ領域（Ａ／Ａ）に配置されたタッチセンサーＴＳと縦方向に連結されることができ、タッチディスプレイパネル１１０の左側または右側ノンアクティブ領域（Ｎ／Ａ）のうち、第１タッチ配線ＴＬ（Ｔｘ）が配置されない領域に沿ってタッチディスプレイパネル１１０の上側ノンアクティブ領域（Ｎ／Ａ）まで配置できる。
【００６１】
ここで、第１タッチ配線ＴＬ（Ｔｘ）または第２タッチ配線ＴＬ（Ｒｘ）は、アクティブ領域（Ａ／Ａ）の外郭が曲線である部分の外側に位置するノンアクティブ領域（Ｎ／Ａ）で曲線に配置できる。
【００６２】
即ち、アクティブ領域（Ａ／Ａ）の外郭が曲線である部分とタッチディスプレイパネル１１０の外郭が曲線である部分との間に位置するノンアクティブ領域（Ｎ／Ａ）でタッチ配線ＴＬは、曲線に配置されてアクティブ領域（Ａ／Ａ）の外郭の形態によって配置できる。
【００６３】
したがって、タッチディスプレイパネル１１０のノンアクティブ領域（Ｎ／Ａ）に配置されるタッチ配線ＴＬは、アクティブ領域（Ａ／Ａ）の外郭の形態によって直線または曲線に配置される。
【００６４】
これによって、タッチディスプレイ装置１００が異形に設計される場合にも、タッチセンサーＴＳと駆動回路を連結するタッチ配線ＴＬが容易に具現できるようにする。
【００６５】
そして、タッチ配線ＴＬの一部が曲線に配置されることによって、タッチ配線ＴＬで曲線である部分がアクティブ領域（Ａ／Ａ）に配置されたタッチセンサーＴＳと連結される場合、タッチ配線ＴＬは、鋭角や鈍角を形成し、折れた構造を有することができる。
【００６６】
即ち、タッチ配線ＴＬが直線の形態のみに配置される場合には、タッチ配線ＴＬがタッチセンサーＴＳと連結される部分で直角に折れた構造を形成するが、タッチ配線ＴＬが曲線である部分を含み、曲線である部分でタッチセンサーＴＳと連結されることもできるので、タッチ配線ＴＬは、少なくとも一部が鋭角や鈍角に折れた構造を形成する。
【００６７】
前述したように、本実施形態によれば、タッチディスプレイパネル１１０に配置されるタッチセンサーＴＳとタッチ配線ＴＬをアクティブ領域（Ａ／Ａ）の形態によって具現することによって、異形のタッチディスプレイ装置１００でもユーザのタッチがセンシングできるようにする。
【００６８】
この際、アクティブ領域（Ａ／Ａ）の形態によってタッチセンサーＴＳが相異する形態に配置されるので、タッチセンシングの感度がタッチディスプレイパネル１１０の位置によって低下することがある。
【００６９】
本実施形態に従うタッチディスプレイ装置１００は、異形のタッチディスプレイ装置１００で具現できるタッチセンサーＴＳとタッチ配線ＴＬの構造を提供し、延いては、タッチセンシングの感度を一定に維持することができる方案を提供する。
【００７０】
図５は、第１実施形態に従うタッチディスプレイ装置１００でアクティブ領域（Ａ／Ａ）の境界に配置されるタッチセンサーＴＳの構造の他の例示を示すものである。
【００７１】
図５を参照すると、第１実施形態に従うタッチディスプレイ装置１００は、多数のタッチセンサーＴＳと多数のタッチ配線ＴＬが配置されたタッチディスプレイパネル１１０と、タッチセンサーＴＳを駆動する駆動回路（図示せず）を含む。
【００７２】
タッチディスプレイパネル１１０の内側に外郭の一部が曲線であるアクティブ領域（Ａ／Ａ）が配置され、アクティブ領域（Ａ／Ａ）の外側にノンアクティブ領域（Ｎ／Ａ）が配置される。
【００７３】
アクティブ領域（Ａ／Ａ）には、映像を表示するための多数のサブピクセルとタッチをセンシングするための多数のタッチセンサーＴＳが配置される。
【００７４】
多数のタッチセンサーＴＳは、アクティブ領域（Ａ／Ａ）に分離された構造で配置され、アクティブ領域（Ａ／Ａ）の形態によって配置される。
【００７５】
一例に、多数のタッチセンサーＴＳのうち、アクティブ領域（Ａ／Ａ）の内側に配置されるタッチセンサーＴＳは、一定の形態を有し、分離された構造で配置できる。そして、アクティブ領域（Ａ／Ａ）の境界に配置されるタッチセンサーＴＳは、アクティブ領域（Ａ／Ａ）の外郭によって相異する形態を有して配置できる。
【００７６】
したがって、アクティブ領域（Ａ／Ａ）の外郭が曲線である部分に配置されるタッチセンサーＴＳは、枠が一部曲線を有して配置できる。
【００７７】
この際、アクティブ領域（Ａ／Ａ）の外郭が曲線である部分に配置されるタッチセンサーＴＳは、アクティブ領域（Ａ／Ａ）の形態に従う形態に配置されることによって、タッチセンサーＴＳのサイズが隣接したタッチセンサーＴＳのサイズより小さく配置できる。
【００７８】
これによって、アクティブ領域（Ａ／Ａ）の外郭が曲線である部分に配置されるタッチセンサーＴＳのタッチセンシングの感度がアクティブ領域（Ａ／Ａ）の外郭が直線である部分に配置されるタッチセンサーＴＳのタッチセンシングの感度より低下することがある。
【００７９】
したがって、第１実施形態に従うタッチディスプレイ装置１００は、アクティブ領域（Ａ／Ａ）の外郭部でタッチセンシングの感度を均一に維持するためにアクティブ領域（Ａ／Ａ）の外郭が曲線である部分に配置されるタッチセンサーＴＳをアクティブ領域（Ａ／Ａ）の外側に突出した形態に配置することができる。
【００８０】
一例として、図５を参照すると、アクティブ領域（Ａ／Ａ）の外郭部に配置されるタッチセンサーＴＳは、アクティブ領域（Ａ／Ａ）の外郭が曲線である部分に配置される第１タッチセンサーＴＳ１とアクティブ領域（Ａ／Ａ）の外郭が直線である部分に配置される第２タッチセンサーＴＳ２で構成できる。
【００８１】
ここで、第１タッチセンサーＴＳ１は、アクティブ領域（Ａ／Ａ）の曲線である外郭に従う形態を有するので、アクティブ領域（Ａ／Ａ）の境界で直線の枠を有する第２タッチセンサーＴＳ２よりサイズが小さくなる。
【００８２】
したがって、アクティブ領域（Ａ／Ａ）の曲線である外郭と接する第１タッチセンサーＴＳ１をアクティブ領域（Ａ／Ａ）の直線である外郭と接する第２タッチセンサーＴＳ２よりアクティブ領域（Ａ／Ａ）の外側に突出するように配置する。
【００８３】
第１タッチセンサーＴＳ１が第２タッチセンサーＴＳ２よりアクティブ領域（Ａ／Ａ）の外側に突出して配置されるので、第１タッチセンサーＴＳ１と第２タッチセンサーＴＳ２のサイズの差を減少させることができる。
【００８４】
これを通じて、アクティブ領域（Ａ／Ａ）の形態によってタッチセンサーＴＳを配置する構造で、アクティブ領域（Ａ／Ａ）の境界部で位置によってタッチセンシングの感度が低下することを防止できるようにする。
【００８５】
図６は、第１実施形態に従うタッチディスプレイ装置１００におけるアクティブ領域（Ａ／Ａ）の境界に配置されるタッチセンサーＴＳの構造の更に他の例示を示すものである。
【００８６】
図６を参照すると、第１実施形態に従うタッチディスプレイ装置１００は、多数のタッチセンサーＴＳと多数のタッチ配線ＴＬが配置されたタッチディスプレイパネル１１０と、タッチセンサーＴＳを駆動する駆動回路（図示せず）を含む。
【００８７】
タッチディスプレイパネル１１０の内側には、サブピクセルとタッチセンサーＴＳなどが配置されるアクティブ領域（Ａ／Ａ）が配置され、アクティブ領域（Ａ／Ａ）の外側にノンアクティブ領域（Ｎ／Ａ）が位置する。
【００８８】
アクティブ領域（Ａ／Ａ）は、外郭の一部が直線であり、他の一部が曲線であって、一例として、縦方向に直線である外郭と横方向に直線である外郭とが交差する部分に曲線である外郭を含むことができる。
【００８９】
アクティブ領域（Ａ／Ａ）に配置される多数のタッチセンサーＴＳは、アクティブ領域（Ａ／Ａ）の形態によって配置される。
【００９０】
したがって、アクティブ領域（Ａ／Ａ）の境界に配置されるタッチセンサーＴＳは、アクティブ領域（Ａ／Ａ）の境界が直線であれば、直線の枠を有し、アクティブ領域（Ａ／Ａ）の境界が曲線であれば、曲線の枠を有する。
【００９１】
そして、多数のタッチセンサーＴＳは、ノンアクティブ領域（Ｎ／Ａ）に配置されるタッチ配線ＴＬと連結され、タッチセンサーＴＳとタッチ配線ＴＬとの間には、コンタクトパッドＣＰが配置できる。
【００９２】
コンタクトパッドＣＰを通じてタッチセンサーＴＳとタッチ配線ＴＬを連結させることができ、タッチセンサーＴＳがメッシュタイプである場合、コンタクトパッドＣＰがタッチセンサーＴＳの外郭に沿って配置され、タッチ配線ＴＬとタッチセンサーＴＳを連結させることができる。
【００９３】
ここで、アクティブ領域（Ａ／Ａ）の境界に配置されるタッチセンサーＴＳがアクティブ領域（Ａ／Ａ）の外郭に従う形態に配置されるので、タッチセンサーＴＳとタッチ配線ＴＬとの間に配置されるコンタクトパッドＣＰもタッチセンサーＴＳの形態に従う形態を有することができる。
【００９４】
一例として、アクティブ領域（Ａ／Ａ）の境界が曲線である部分に配置される第１タッチセンサーＴＳ１とタッチ配線ＴＬを連結する第１コンタクトパッドＣＰ１は、第１タッチセンサーＴＳ１の形態によって曲線形態に配置できる。そして、アクティブ領域（Ａ／Ａ）の境界が直線である部分に配置される第２タッチセンサーＴＳ２とタッチ配線ＴＬを連結する第２コンタクトパッドＣＰ２は、第２タッチセンサーＴＳ２の形態によって直線形態に配置できる。
【００９５】
第１コンタクトパッドＣＰ１が第１タッチセンサーＴＳ１の形態によって曲線形態に配置されるので、第２タッチセンサーＴＳ２に連結された第２コンタクトパッドＣＰ２と面積差が減少できる。
【００９６】
したがって、第１コンタクトパッドＣＰ１と第２コンタクトパッドＣＰ２の抵抗の差などを減少させることによって、第１タッチセンサーＴＳ１を通じてのセンシングと第２タッチセンサーＴＳ２を通じてのセンシングが同一な条件で遂行できるようにしてコンタクトパッドＣＰの差によってタッチセンシングに影響を与えることが防止できるようにする。
【００９７】
一方、本実施形態に従うタッチディスプレイ装置１００は、タッチディスプレイパネル１１０とアクティブ領域（Ａ／Ａ）の外郭が多様な形態を有する場合だけでなく、タッチディスプレイパネル１１０の内側または外郭部の形態が多様に設計されてもタッチセンシング可能なタッチセンサーＴＳとタッチ配線ＴＬの配置構造を提供する。
【００９８】
図７及び図８は、本実施形態に従うタッチディスプレイ装置１００にタッチセンサーＴＳとタッチ配線ＴＬが配置される第２実施形態を示すものであって、タッチディスプレイ装置１００が開口された領域（Open Area、Ｏ／Ａ）を含む場合、タッチセンシング構造の例示を示すものである。
【００９９】
タッチディスプレイ装置１００で開口された領域（Ｏ／Ａ）の形態は、ホール、ノッチなどの形態を例示として説明するが、本実施形態は、これに限定されず、タッチディスプレイ装置１００の内側または外郭部に開口された領域（Ｏ／Ａ）を含む場合には、全て適用できる。
【０１００】
図７は、第２実施形態に従うタッチディスプレイ装置１００におけるタッチディスプレイパネル１１０の内側にホール形態に開口された領域（Ｏ／Ａ）を含む場合を示すものである。
【０１０１】
図７を参照すると、第２実施形態に従うタッチディスプレイ装置１００は、タッチディスプレイパネル１１０のアクティブ領域（Ａ／Ａ）に多数のタッチセンサーＴＳが配置される。
【０１０２】
そして、多数のタッチセンサーＴＳのＴｘ電極は、横方向に配置される第１タッチ配線ＴＬ（Ｔｘ）を通じて連結され、Ｒｘ電極は、縦方向に配置される第２タッチ配線ＴＬ（Ｒｘ）を通じて連結される。
【０１０３】
ここで、タッチディスプレイパネル１１０の内側には、開口された領域（Ｏ／Ａ）を含むことができ、開口された領域（Ｏ／Ａ）は、隣接した２つのタッチ配線ＴＬの間に位置することができる。
【０１０４】
一例に、開口された領域（Ｏ／Ａ）は、隣接した２つの第１タッチ配線ＴＬ（Ｔｘ）の間に配置されることができ、隣接した２つの第２タッチ配線ＴＬ（Ｒｘ）の間に配置できる。
【０１０５】
また、隣接した２つの第１タッチ配線ＴＬ（Ｔｘ）と隣接した２つの第２タッチ配線ＴＬ（Ｒｘ）の交差により定義される領域に配置できる。
【０１０６】
即ち、図７に図示したように、隣接した２つの第１タッチ配線ＴＬ（Ｔｘ）と隣接した２つの第２タッチ配線ＴＬ（Ｒｘ）とが交差することにより定義される四角形領域内に配置できる。
【０１０７】
したがって、タッチディスプレイパネル１１０で開口された領域（Ｏ／Ａ）の境界は、４個のタッチセンサーＴＳと接することができる。
【０１０８】
本実施形態によれば、開口された領域（Ｏ／Ａ）が隣接したタッチ配線ＴＬの間に位置するので、タッチ配線ＴＬの構造を変更せず、開口された領域（Ｏ／Ａ）を含むことができる。
【０１０９】
また、開口された領域（Ｏ／Ａ）に隣接したタッチセンサーＴＳを通じてタッチをセンシングすることができるので、タッチディスプレイ装置１００がパネル内にホールのような開口された領域（Ｏ／Ａ）を含む場合にもタッチをセンシングすることができる構造を提供する。
【０１１０】
図８は、第２実施形態に従うタッチディスプレイ装置１００の構造の他の例示を示すものであって、タッチディスプレイパネル１１０の外郭部にノッチ形態の開口された領域（Ｏ／Ａ）を含む場合を示すものである。
【０１１１】
図８を参照すると、第２実施形態に従うタッチディスプレイ装置１００は、タッチディスプレイパネル１１０のアクティブ領域（Ａ／Ａ）に多数のタッチセンサーＴＳが配置される。そして、多数のタッチセンサーＴＳと横方向に連結される第１タッチ配線ＴＬ（Ｔｘ）及び縦方向に連結される第２タッチ配線ＴＬ（Ｒｘ）を含む。
【０１１２】
このようなタッチディスプレイパネル１１０は、タッチディスプレイパネル１１０の外郭と隣接した外郭部にノッチ形態のような開口された領域（Ｏ／Ａ）を含むことができる。
【０１１３】
この際、タッチディスプレイパネル１１０の外郭部で開口された領域（Ｏ／Ａ）は、縦方向に配置される隣接した２つの第２タッチ配線ＴＬ（Ｒｘ）の間に位置することができる。
【０１１４】
また、隣接した２つの第２タッチ配線ＴＬ（Ｒｘ）と横方向に配置される第１タッチ配線ＴＬ（Ｔｘ）との交差により定義される領域に位置することができる。
【０１１５】
即ち、タッチディスプレイパネル１１０の外郭部に配置され、アクティブ領域（Ａ／Ａ）の外郭の一部を構成する開口された領域（Ｏ／Ａ）が隣接した２つのタッチ配線ＴＬの間に配置されることによって、タッチ配線ＴＬの設計を変更せず、開口された領域（Ｏ／Ａ）を含むことができるようにする。
【０１１６】
そして、開口された領域（Ｏ／Ａ）の境界に接する複数のタッチセンサーＴＳを通じてタッチがセンシングできるようにすることによって、タッチディスプレイパネル１１０の外郭部に開口された領域（Ｏ／Ａ）を含む場合にもタッチセンシング可能なタッチセンサーＴＳとタッチ配線ＴＬの構造を提供することができる。
【０１１７】
本実施形態によれば、タッチディスプレイパネル１１０に配置されるタッチセンサーＴＳとタッチ配線ＴＬをタッチディスプレイパネル１１０とアクティブ領域（Ａ／Ａ）の形態に従う形態に配置することによって、異形のディスプレイ装置でもタッチセンシング可能な構造を提供する。
【０１１８】
また、アクティブ領域（Ａ／Ａ）の境界に配置されるタッチセンサーＴＳの形態が位置別に相異することによって、タッチセンサーＴＳのサイズ、コンタクトパッドＣＰの形態などを調整して異形のタッチディスプレイ装置１００における位置別タッチセンシングの感度が一定に維持できるようにする。
【０１１９】
また、タッチディスプレイパネル１１０の内側または外郭部で隣接した２つのタッチ配線ＴＬの間に開口された領域（Ｏ／Ａ）が位置するようにすることによって、開口された領域（Ｏ／Ａ）を含むディスプレイ装置におけるタッチをセンシングすることができる構造を提供する。
【０１２０】
以上の説明及び添付の図面は、本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は、本発明の技術思想を限定するためのものでなく、説明するためのものであり、このような実施形態によって本発明の技術思想の範囲が限定されるものではない。本発明の保護範囲は請求範囲によって解釈されなければならず、それと同等な範囲内にある全ての技術思想は、本発明の権利範囲に含まれるものとして解釈されるべきである。
【符号の説明】
【０１２１】
１００  タッチディスプレイ装置、１１０  タッチディスプレイパネル。
【図１】
2018206347.tif 000003
【図２】
2018206347.tif 000004
【図３】
2018206347.tif 000005
【図４】
2018206347.tif 000006
【図５】
2018206347.tif 000007
【図６】
2018206347.tif 000008
【図７】
2018206347.tif 000009
【図８】
2018206347.tif 000010